【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
マイケルカルバニオン供与体を生成するために活性化されることができる少なくとも２つのプロトンを有する成分Ａと、
電子吸引性基によってそれぞれ活性化される少なくとも２つのエチレン性不飽和官能性を有するマイケル受容体として機能する成分Ｂと、
以下の式（１）のドーマントカルバメート開始剤と、
任意に、更に、アンモニウムカルバメート（Ｈ２ＮＲ１Ｒ２＋−ＯＣ＝ＯＮＲ１Ｒ２）とを含むことを特徴とする架橋性コーティング組成物。
【化９】
2019527247.tif 000001
（Ｒ１及びＲ２は、独立して、水素、１〜２２個の炭素原子、１〜８個の炭素原子、又は１〜４個の炭素原子を有する直鎖又は分枝鎖の置換又は非置換アルキル基から選択でき；Ａｎ＋は、カチオン種又はポリマーであり、ｎは、１以上の整数である（但し、Ａｎ＋は、酸性水素ではない）。）
【請求項２】
前記成分Ａが、マロネート基含有化合物、マロネート基含有オリゴマー、マロネート基含有ポリマー、アセトアセテート基含有化合物、アセトアセテート基含有オリゴマー、アセトアセテート基含有ポリマー、又はそれらの組合せから独立して選択される請求項１に記載の架橋性コーティング組成物。
【請求項３】
前記マロネート基含有化合物、マロネート基含有オリゴマー、マロネート基含有ポリマー、アセトアセテート基含有化合物、アセトアセテート基含有オリゴマー、又はアセトアセテート基含有ポリマーが、それぞれ、ポリウレタン、ポリエステル、ポリアクリレート、エポキシポリマー、ポリアミド、ポリエステルアミド、又はポリビニルポリマーからなる群から選択され、前記化合物、オリゴマー、又はポリマーが、（ｉ）マロネート基、（ｉｉ）アセトアセテート基、又は（ｉｉｉ）それらの組合せを、前記化合物、オリゴマー、若しくはポリマーの主鎖又は前記化合物、オリゴマー、若しくはポリマーの側鎖に有する請求項２に記載の架橋性コーティング組成物。
【請求項４】
前記成分Ｂが、アクリレート、フマレート、マレエート、及びそれらの組合せからなる群から選択される請求項１から３のいずれかに架橋性コーティング組成物。
【請求項５】
前記アクリレートが、ヘキサンジオールジアクリレート、トリメチロールプロパントリアクリレート、ペンタエリスリトールトリアクリレート、ジトリメチロールプロパンテトラアクリレート、ビス（２−ヒドロキシエチルアクリレート）トリメチルヘキシルジカルバメート、ビス（２−ヒドロキシエチルアクリレート）、１，３，３−トリメチルシクロヘキシルジカルバメート、ビス（２−ヒドロキシエチルアクリレート）メチレンジシクロヘキシルジカルバメート、及びそれらの組合せからなる群から独立して選択される請求項４に記載の架橋性コーティング組成物。
【請求項６】
前記成分Ｂが、電子吸引性基によってそれぞれ活性化される少なくとも２つのペンダントエチレン性不飽和基をそれぞれ含むポリエステル、ポリウレタン、ポリエーテル、及び／又はアルキド樹脂から独立して選択される請求項４に記載の架橋性コーティング組成物。
【請求項７】
前記成分Ｂが、少なくとも１つのペンダントアクリロイル官能基をそれぞれ含むポリエステル、ポリウレタン、ポリエーテル、及び／又はアルキド樹脂からなる群から独立して選択される請求項４に記載の架橋性コーティング組成物。
【請求項８】
ｐＫａに関して前記成分Ａのプロトンよりも酸性である及び／又はｐＫａに関して前記任意のアンモニウムカルバメートのアンモニウムカチオンよりも酸性でない１つ以上の反応性プロトンを有する成分Ｄを更に含む請求項１から７のいずれかに記載の架橋性コーティング組成物。
【請求項９】
１０重量％、５重量％、１重量％、０．１重量％、０．０１重量％未満の水を更に含む請求項１から８のいずれかに記載の架橋性コーティング組成物。
【請求項１０】
実質的に水を含まない請求項１から８のいずれかに記載の架橋性コーティング組成物。
【請求項１１】
有機溶媒を更に含む請求項１から１０のいずれかに記載の架橋性コーティング組成物。
【請求項１２】
前記有機溶媒が、アルコール、エステル、エーテル、グリコールエーテル、ケトン、芳香族、及びそれらの組合せから独立して選択される請求項１１に記載の架橋性コーティング組成物。
【請求項１３】
前記アルコールが、メタノール、エタノール、イソプロパノール、ブタノール、イソブタノール、及びそれらの組合せから独立して選択される請求項１２に記載の架橋性コーティング組成物。
【請求項１４】
Ａｎ＋が、以下の式（２）の一価の第４級アンモニウム化合物である請求項１から１３のいずれかに記載の架橋性コーティング組成物。
【化１０】
2019527247.tif 000002
（式中、Ｒ３、Ｒ４、及びＲ５は、独立して、１〜２２個の炭素原子又は１〜８個の炭素原子を有する直鎖又は分枝鎖のアルキル鎖、及びそれらの組合せから選択され、Ｒ６は、独立して、メチル、２〜６個の炭素原子を有するアルキル基、又はベンジル基からなる群から選択される）。
【請求項１５】
架橋性コーティング組成物が表面に塗布されると、前記ドーマントカルバメート開始剤がマイケル付加を開始して架橋を達成する請求項１から１４のいずれかに記載の架橋性コーティング組成物。
【請求項１６】
前記成分Ａ、前記成分Ｂ、及び前記カルバメート塩が、互いに分離された２つ以上のチャンバを有する容器に含まれる請求項１から１５のいずれかに記載の架橋性コーティング組成物。
【請求項１７】
前記成分Ａ及び前記成分Ｂは、反応を抑制するために別々のチャンバに含まれる請求項１６に記載の架橋性コーティング組成物。
【請求項１８】
前記カルバメート開始剤が、前記成分Ａを含み且つ任意にＣＯ２及び／又はアンモニウムカルバメートを含むチャンバに含まれる請求項１６に記載の架橋性コーティング組成物。
【請求項１９】
前記成分Ａと前記成分Ｂが、同じチャンバに含まれ、前記カルバメート開始剤が、反応を抑制するために別のチャンバに含まれ、前記別のチャンバが、任意にＣＯ２及び／又はアンモニウムカルバメートを含む請求項１６に記載の架橋性コーティング組成物。
【請求項２０】
前記成分Ａ、前記成分Ｂ、及び前記カルバメート開始剤が、単一のチャンバを有する容器に含まれ、前記容器は、任意に、独立して（ｉ）ＣＯ２及び／又はアンモニウムカルバメートを含み、又は（ｉｉ）アンモニウムカーボネートを含み、他の固体、液体、又は気体成分のために残存する空間が本質的に存在しない容量まで充填される請求項１から１５のいずれかに記載の架橋性コーティング組成物。
【請求項２１】
マイケルカルバニオン供与体を生成するために活性化されることができる少なくとも２つのプロトンを有する成分Ａと、
電子吸引性基によってそれぞれ活性化される少なくとも２つのエチレン性不飽和官能性を有するマイケル受容体として機能する成分Ｂと、
ドーマントカルバメート開始剤系である成分Ｃとを含む架橋性コーティング組成物であって、前記ドーマントカルバメート開始剤系が、
ａ：以下のａ１からａ３の反応に由来するアンモニウムカルバメート塩と、
ａ１：二酸化炭素、
ａ２：１つ以上のポリアミン、
ａ３：任意に１つ以上のモノアミン、
ｂ：プロトン化されたアンモニウムカチオンの少なくとも一部がＡｎ＋で置き換えられ、Ａｎ＋がカチオン種又はポリマーであり、ｎが１以上の整数（但し、Ａｎ＋は、酸性水素ではない）であるように、後に、塩基、イオン交換、又は他の化学的手段によって処理された前記アンモニウムカルバメート塩とから形成されることを特徴とする架橋性コーティング組成物。
【手続補正２】
【補正対象書類名】明細書
【補正対象項目名】００１９
【補正方法】変更
【補正の内容】
【００１９】
別の実施形態では、本発明は、Ａｎ＋が、以下の式（２）の一価の第４級アンモニウム化合物である架橋性コーティング組成物を提供する。
【化２】
2019527247.tif 000003
（式中、Ｒ３、Ｒ４、及びＲ５は、独立して、１〜２２個の炭素原子又は１〜８個の炭素原子を有する直鎖又は分枝鎖のアルキル鎖、及びそれらの組合せから選択され、Ｒ６は、独立して、メチル、２〜６個の炭素原子を有するアルキル基、又はベンジル基からなる群から選択される）。